(57)【要約】      （修正有）【課題】把手に近接して懸架用部材を設ける必要が無く、コンパクトに畳むことが可能である簡易担架を提供する。【解決手段】不織布または合成樹脂シート等から形成された本略長方形状の本体シート２は、長手方向に沿った左右縁部に間隔をあけて複数の挿通孔８が構成された把持部６を備えることで、挿通孔８に手首を通す、もしくは担棒を挿通させることが可能となって負傷者の搬出に支障をきたすことがなく行える。また、長手方向両端部には負傷者の足または頭を収容するためのカバー４があり、それに収容することで、二次感染を防止することが出来る。そして、本体シート２の裏側には、補強ベルト９が設けられており、搬出者が負傷者を安全に搬出することが出来る。【選択図】図１
0003184051.tif 000002
【実用新案登録請求の範囲】
【請求項１】
負傷者を載置して搬送するための担架であって、
略長方形状の本体シートと、
前記本体シートの長手方向に沿った左右縁部に間隔をあけて設けられた中空円筒状の複数の把持部と、が備えられており
前記把持部には担棒を搬送者の手首または挿通させることができる挿通孔が形成されている、
ことを特徴とする簡易担架。
【請求項２】
前記本体シートの長手方向両端部に、負傷者等の足または頭を収容して固定するためのカバーが設けられている、
請求項１に記載の簡易担架。
【請求項３】
前記本体シートの裏側のおよそ負傷者の腰部と背中部に、負傷者を安定して搬出するための補強ベルトが設けられている、
請求項１乃至２に記載の簡易担架。
【請求項４】
前記本体シートが不織布である、
請求項１乃至３に記載の簡易担架。
【考案の詳細な説明】
【技術分野】
【０００１】
本考案は、事故現場や災害現場から負傷者や病人や病院へ搬送が必要な人や死者等（以下、負傷者という。）を搬出するために使用される簡易担架である。
【背景技術】
【０００２】
略長方形シートの長手方向の左右に担棒を固着した担架が周知である。
【０００３】
また、略長方形シートの長手方向に沿った左右縁部に間隔をあけて複数の把手が設けられており、把手に近接して複数の懸架用部材が備えられ、この懸架用部材に担棒を挿通することで、負傷者等を搬出するようにした担架は公知である（例えば実用新案文献１参照）
【先行技術文献】
【特許文献】
【０００４】
【特許文献１】実願２００５−７６２０
【考案の概要】
【考案が解決しようとする課題】
【０００５】
周知の担架は狭い場所や屈曲した路地等を搬出する必要がある場合には、担棒が妨げとなって負傷者を搬出することができず、使用場所に制約されるという問題点があった。
また、実用新案文献１の簡易担架は、担棒を必要のない時は取り外して使用できるので、上記問題点を克服できるが、担架には次のような問題点があった。
上記簡易担架には、把手に近接して懸架用部材が備えられているため、搬出者が負傷者を搬出する際に、懸架用部材があることで把手を持ちづらく、負傷者の搬出に支障をきたすことがある。
把手に近接して懸架用部材が備えられていることで、搬出者が負傷者を搬出する際に、懸架部材があることで把手を持ちづらく、負傷者の搬出に支障をきたすことがある。
【課題を解決するための手段】
【０００６】
本考案は、実用新案文献１のような問題点を解決し得る簡易担架を提供することを目的とする。
上記目的を達成するため、本考案に係る簡易担架は、略長方形状の本体シートの長手方向に沿った左右縁部に間隔をあけて複数の把持部を備えて、この複数の把持部には、担棒を挿通させることができる挿通孔がそれぞれ形成されていることを特徴とする。
また、本体シートの裏側に、負傷者を安全に搬出するため、補強ベルトが設けられていることや、本体シートの長手方向両端部に、負傷者の足または頭を覆うためのカバーが設けられていることを特徴としている
そして、本体シートが例えば不織布や合成樹脂シートで構成されていることも特徴とする。
【考案の効果】
【０００７】
本考案は、把手に近接して懸架用部材を設ける必要が無く、担棒を使わない場合は、負傷者等の搬出に支障をきたすこともなくコンパクトに畳むことが可能であり、また、担棒を使う場合は、把持部の挿通孔に担棒を挿通することで負傷者を搬出することが出来る簡易担架である。
【図面の簡単な説明】
【０００８】
【図１】本考案の実施形態に係る簡易担架を示した斜視図である。
【図２】本実施形態に係る簡易担架の使用状態を示した斜視図である。
【考案を実施するための形態】
【０００９】
以下、本考案の実施形態に係る簡易担架１を図面に基づき説明する
簡易担架は警察署、交番、自衛隊駐屯地、消防署、病院、学校、山小屋、救難車両、あるいは公共施設等に常備しておき、各種の事故現場や災害現場、例えば、交通事故現場、山岳事故現場等の足の悪い被災現場に担棒なしで折り畳んで、被災現場の状況に合わせて担棒による搬出と手持ちによる搬出とを随時切り替えて、搬出を行う際に使用される。
本考案の簡易担架１も、負傷者を搬出するために使用され、図１に示すように、簡易担架１は略長方形状の本体シート２と、本体シート２の裏側に設けられた補強用ベルト９と、本体シート２の長手方向両端部３を覆うカバー４がある。また、簡易担架１は、本体シート２の長手方向に沿った左右縁部７に間隔をあけて複数設けられた挿通孔８を備えた把持部６も有している。
【００１０】
簡易担架１は不織布で形成されており、これによって、二次感染を防止でき、負傷者を運ぶのに十分な強度を得られる。前記不織布の他にも、合成樹脂シート等の使用でも可能である。
【００１１】
本体シート２は、負傷者が横臥状態で載置するための略長方形状のシートである。その大きさとしては、人間を載置出来るサイズ例えば幅６００mm〜１２００mm、長さ１８００mm〜２２００mmの略長方形状の不織布や合成樹脂等を裁断して形成される。また、本体シート２の裏側のおよそ負傷者の腰部と背中部に、搬出者が安定して負傷者を搬出するための補強ベルト９が設けられている。
【００１２】
本体シート２の長手方向両端部３には、それぞれ長手方向両端部３を覆うカバー４が設けられている。この長手方向両端部３を覆うカバー４は、一端開口部５で、内側の一端が開口しており、当該開口部５からカバー4内に、負傷者の頭または足を収容して固定するためのものである。カバー４の大きさとして、例えば長手方向に３００mm〜４００mmの長さで、穴５は１５０mm〜３５０mmの余裕があるとよい。
【００１３】
把持部６は、負傷者を搬送する者が把持する部分である。この把持部６は、長手方向に沿った向きで両端が開口した中空の円筒形状からなり、この中空部分は挿通孔８を構成する。
【００１４】
挿通孔８はその中に、手首に挿通することで、搬出者が負傷者を搬出するために使用される。この場合は、搬出者は搬出者の手首を長手方向両端部３にある挿通孔８に本体シート２中央に向かって挿通させ、本体シート２の左右縁部７と手でしっかりと掴む。また、挿通孔８はその中に、担棒を挿通することで、搬出者が負傷者を搬出するために使用される。この場合は、搬出者は長手方向両端部３にある挿通孔８に長手方向に沿って、一本ずつ担棒を挿通し、２本の担棒を持って負傷者を搬出する。
【００１５】
把持部６は例えば、長手方向に１００mm〜２００mmの長さとして、挿通孔８は長手方向に沿った向きで両端が開かれており、挿通孔８は５０mm〜１５０mmの開口径とするのがよい。これにより、担棒を支障なく差し込んで搬出できると共に、担棒のズレを防止して負傷者等を確実に搬出できる。
【００１６】
前記把持部８を、長手方向に沿った左右縁部７に取り付けるには、縫着、接着、鋲着等の公知手段を用いることが出来るが、縫着による場合は長手方向に沿った左右縁部７の縁に沿って四角形状に縫着すると共に、その対角線に沿って縫着することが良く、これによってどの方向から力が作用しても剥がれ難くなる。
【００１７】
次に、本実施形態に係る簡易担架１の使用方法の一例について図２を参照して説明する。
ビルの倒壊現場や列車事故現場のような被災現場では、被災現場付近は足場が悪く、その周囲は平坦で整備された搬出経路である場合が多い。このような被災現場には長尺な担棒は持ち込みが困難であるから、簡易担架１を折り畳んで被災現場に携行し、図２のような形で最初に負傷者等を簡易担架１にのせて、足または頭を収容する穴５に負傷者の足または頭を収容する。その後、搬出者等は挿通孔８に手を差し込んで負傷者を安全な場所へ搬出する。そして安全な場所において、担棒を一本ずつ長手方向に沿って挿通孔８に挿通して、２本の担棒で支えながらの搬出をする。
【００１８】
以上の本実施形態に係る簡易担架１によれば、手持ち搬出のまま移動させると安置場所等まで距離があり、搬出作業に多大な労力をかける場合に、少ない労力で負傷者を搬出できる点で便利である。また、担棒搬出に切り替えた後は搬出者に多人数を省く必要がないので、手持ち搬送を行っていた搬出者の一部はレスキュー活動を再開でき、レスキュー活動の効率化にも効果を有する。
【符号の説明】
【００１９】
１    簡易担架
２    本体シート
３    長手方向両端部
４    カバー
５    穴
６    把持部
７    左右縁部
８    挿通孔
９    補強ベルト
【図１】
0003184051.tif 000003
【図２】
0003184051.tif 000004
【手続補正書】
【提出日】平成25年3月29日(2013.3.29)
【手続補正１】
【補正対象書類名】実用新案登録請求の範囲
【補正対象項目名】全文
【補正方法】変更
【補正の内容】
【実用新案登録請求の範囲】
【請求項１】
負傷者を載置して搬送するための担架であって、
略長方形状の本体シートと、
前記本体シートの長手方向に沿った左右縁部に間隔をあけて設けられた中空円筒状の複数の把持部と、が備えられており
前記把持部には担棒または搬送者の手首を挿通させるための挿通孔が形成されている、
ことを特徴とする簡易担架。
【請求項２】
前記本体シートの長手方向両端部に、負傷者等の足または頭を収容して固定するためのカバーが設けられている、
請求項１に記載の簡易担架。
【請求項３】
前記本体シートの裏側のおよそ負傷者の腰部と背中部に、負傷者を安定して搬出するための補強ベルトが設けられている、
請求項１乃至２に記載の簡易担架。
【請求項４】
前記本体シートが不織布である、
請求項１乃至３のいずれか１項に記載の簡易担架。